【手続補正書】
【提出日】平成26年2月24日(2014.2.24)
【手続補正１】
【補正対象書類名】明細書
【補正対象項目名】００１０
【補正方法】変更
【補正の内容】
【００１０】
好ましいジ−（Ｃ１−Ｃ１６アルキル）アミノ又はＣ１−Ｃ１６アルキルオキシは、アルキルという用語について、上記と同じ好ましいもの及び意味を有する。
【手続補正２】
【補正対象書類名】明細書
【補正対象項目名】００２０
【補正方法】変更
【補正の内容】
【００２０】
更に、好ましいのは、側鎖が式（II）で表される基を含むポリマー、ホモ−もしくはコポリマー、又はオリゴマーである：
【化４】
2013530260.tif 000001
（式中、
Ｑは、−ＯＣＦ２−、−ＣＦ２−Ｏ−、−ＣＦ２Ｓ−、−ＳＣＦ２−、−ＣＦ２ＮＨ−又は−ＮＨ−ＣＦ２−、好ましくは−ＯＣＦ２−又は−ＣＦ２−Ｏ−、より好ましくは−ＯＣＦ２−を表し、
Ｂは、上記意味及び好ましいものを有し、
Ｕは、水素、又は直鎖もしくは分枝状の、非置換もしくはハロゲン、ニトリル、エーテル、エステル、シロキサン、アミドもしくはアミンで少なくとも１回置換されたＣ１−Ｃ１６アルキル基、特にＣ１−Ｃ１２アルキル基、より特にＣ１−Ｃ６アルキル基であって、ここで、１以上のＣ−原子、ＣＨ−基又はＣＨ２−基は、互いに独立して、置き換えられないか、又は上記の意味及び好ましいものの範囲内の連結基で置き換えられ；特に、Ｃ−原子、ＣＨ−基、又はＣＨ２−基は、−ＮＨ−、−ＮＣＨ３−、−ＮＨ−ＣＯ−、−ＣＯ−ＮＨ−、−ＮＨ−ＣＯ−Ｏ−、−Ｏ−ＣＯ−ＮＨ−、−ＮＨ−ＣＯＮＨ−、−ＮＣＨ３−、ＮＣＨ３−ＣＯ−、−ＣＯ−ＮＣＨ３−、−ＮＣＨ３−ＣＯ−Ｏ−、−Ｏ−ＣＯ−ＮＣＨ３−、−ＮＣＨ３−ＣＯＮＣＨ３−、−Ｏ−、−ＣＯ、−ＣＯ−Ｏ−、−Ｏ−ＣＯ−、−ＣＨ＝ＣＨ−、−ＣoＣ−、−Ｏ−ＣＯ−Ｏ−、及び非置換又は置換のシクロヘキシレン、及び非置換又は置換のフェニレン基により置換され；
好ましくは、Ｕは、水素；あるいは非置換又はハロゲン、ニトリル、エーテル、エステル、アミドもしくはアミンで；好ましくは、特に１、２、３、４、５、６、７、８、９又は１０個、より特に１、２、３、４、５、６又は７個のフッ素もしくはニトリルで、最も特に１、２、３又は５個のフッ素で置換されたＱ１−（Ｃ１−Ｃ６アルキレン）であって、ここで、１以上のＣ−原子、ＣＨ−基、又はＣＨ２−基は、互いに独立して、置き換えられないか又は上記の意味及び好ましいものの範囲内の連結基により置き換えられ；特に、Ｃ−原子、ＣＨ−基、又はＣＨ２−基は、−ＮＨ−、−ＮＣＨ３−、−ＮＨ−ＣＯ−、−ＣＯ−ＮＨ−、−ＮＨ−ＣＯ−Ｏ−、−Ｏ−ＣＯ−ＮＨ−、−ＮＨ−ＣＯＮＨ−、−ＮＣＨ３−、ＮＣＨ３−ＣＯ−、−ＣＯ−ＮＣＨ３−、−ＮＣＨ３−ＣＯ−Ｏ−、−Ｏ−ＣＯ−ＮＣＨ３−、−ＮＣＨ３−ＣＯＮＣＨ３−、−Ｏ−、−ＣＯ、−ＣＯ−Ｏ−、−Ｏ−ＣＯ−、−ＣＨ＝ＣＨ−、−Ｃ≡Ｃ−、−Ｏ−ＣＯ−Ｏ−、あるいは非置換又は置換のシクロヘキシレン、及び非置換又は置換のフェニレン基により置き換えられ；ここで、
Ｑ１は、単結合又は−ＮＨ−、−Ｎ（ＣＨ３）−、−ＮＨ−ＣＯ−、−ＣＯ−ＮＨ−、−ＮＨ−ＣＯ−Ｏ−、−Ｏ−ＣＯ−ＮＨ−、−ＮＨ−ＣＯＮＨ−、−ＣＯＮ（ＣＨ３）−、−（ＣＨ３）ＮＣＯ−、−Ｏ−、−ＣＯ−、−ＣＯＯ−、−ＯＣＯ−、−ＯＣＦ２−、−ＣＦ２−Ｏ−、−ＣＦ２Ｓ−、−ＳＣＦ２−、−ＣＦ２ＮＨ−、−ＮＨＣＦ２−、−Ｓ−、−ＣＳ−、−ＳＣＳ−、−ＳＣＯ−、−ＣＨ＝ＣＨ−、−Ｃ≡Ｃ−、又は−Ｏ−ＣＯ−Ｏ−を表し；
好ましくは、Ｑ１は、−Ｏ−、−ＣＯ−、−ＣＯＯ−、−ＯＣＯ−、又は単結合であり、より好ましくは−Ｏ−又は単結合であり；
好ましくは、フッ素置換基は、環Ｂに連結するのと反対側の、アルキル基の末端位に存在し、
より好ましくは、アルキル基は、式−ＣＦ３、−ＣＦ２Ｈ、−ＣＨ２Ｆ、−ＣＦ２ＣＦ３、−ＣＦ２ＣＨＦ２、−ＣＦ２ＣＨ２Ｆ、−ＣＦＨＣＦ３、−ＣＦＨＣＨＦ２、−ＣＦＨＣＨ２Ｆ、−ＣＦ２ＣＨ３、−ＣＦＨＣＨＦ２、−（ＣＦ２）２ＣＦ３、−（ＣＦ２）２ＣＨＦ２、−（ＣＦ２）２ＣＨ２Ｆ、−（ＣＦ２）２ＣＨ３、−（ＣＦ２）３ＣＨＦ２、−（ＣＦ２）３ＣＨ２Ｆ、−（ＣＦ２）３ＣＦ３、−ＣＦ（ＣＦ３）２、又は−ＣＦ２（ＣＨＦ）ＣＦ３、そして、最も好ましくは、式−ＣＦ２Ｈ、−ＣＦ２Ｈ、−ＣＨ２Ｆ、−ＣＦ３、−ＣＦ２ＣＦ３、−ＣＦ２ＣＨＦ２；そして、特に最も好ましくは、式−ＣＦ３、−ＣＨ２Ｆ、−ＣＦ２ＣＦ３、特に−ＣＦ３；で表されるフッ素アルキル残基で表されるか又は上記式で表されるフッ素アルキル残基を末端基として有し、
より好ましくは、Ｕは、水素、−ＣＦ３、−ＣＦ２Ｈ、−ＣＨ２Ｆ、−Ｑ１−（Ｃ１−Ｃ６アルキレン）−ＣＦ３、−Ｑ１−（Ｃ１−Ｃ６アルキレン）−ＣＦ２Ｈ、−Ｑ１−（Ｃ１−Ｃ６アルキレン）−ＣＨ２Ｆ、−Ｑ１−（Ｃ１−Ｃ６アルキレン）−ＣＦ２ＣＦ３、−Ｑ１−（Ｃ１−Ｃ６アルキレン）ＣＦ２ＣＨＦ２、−Ｑ１−（Ｃ１−Ｃ６アルキレン）−ＣＦ２ＣＨ２Ｆ、−Ｑ１−（Ｃ１−Ｃ６アルキレン）−ＣＦＨＣＦ３、−Ｑ１−（Ｃ１−Ｃ６アルキレン）−ＣＦＨＣＨＦ２、−Ｑ１−（Ｃ１−Ｃ６アルキレン）−ＣＦＨＣＨ２Ｆ、−Ｑ１−（Ｃ１−Ｃ６アルキレン）−ＣＦ２ＣＨ３、−Ｑ１−（Ｃ１−Ｃ６アルキレン）−ＣＦＨＣＨＦ２、−Ｑ１−（Ｃ１−Ｃ６アルキレン）−（ＣＦ２）２ＣＦ３、−Ｑ１−（Ｃ１−Ｃ６アルキレン）−（ＣＦ２）２ＣＨＦ２、−Ｑ１−（Ｃ１−Ｃ６アルキレン）−（ＣＦ２）２ＣＨ２Ｆ、−Ｑ１−（Ｃ１−Ｃ６アルキレン）−（ＣＦ２）２ＣＨ３、−Ｑ１−（Ｃ１−Ｃ６アルキレン）−（ＣＦ２）３ＣＨＦ２、−Ｑ１−（Ｃ１−Ｃ６アルキレン）−（ＣＦ２）３ＣＨ２Ｆ、−Ｑ１−（Ｃ１−Ｃ６アルキレン）−（ＣＦ２）３ＣＦ３、−Ｑ１−（Ｃ１−Ｃ６アルキレン）−ＣＦ（ＣＦ３）２、−Ｑ１−（Ｃ１−Ｃ６アルキレン）−ＣＦ２（ＣＨＦ）ＣＦ３であり、
ここで、１以上のＣ−原子、ＣＨ−基、又はＣＨ２−基は、互いに独立して、置き換えられないか又は上記の意味及び好ましいものの範囲内の連結基により置き換えられ；特に、Ｃ−原子、ＣＨ−基、又はＣＨ２−基は、−ＮＨ−、−ＮＣＨ３−、−ＮＨ−ＣＯ−、−ＣＯ−ＮＨ−、−ＮＨ−ＣＯ−Ｏ−、−Ｏ−ＣＯ−ＮＨ−、−ＮＨ−ＣＯＮＨ−、−ＮＣＨ３−、−ＮＣＨ３−ＣＯ−、−ＣＯ−ＮＣＨ３−、−ＮＣＨ３−ＣＯ−Ｏ−、−Ｏ−ＣＯ−ＮＣＨ３−、−ＮＣＨ３−ＣＯＮＣＨ３−、−Ｏ−、−ＣＯ、−ＣＯ−Ｏ−、−Ｏ−ＣＯ−、−ＣＨ＝ＣＨ−、−Ｃ≡Ｃ−、−Ｏ−ＣＯ−Ｏ−、及び非置換又は置換のシクロヘキシレン、及び非置換又は置換のフェニレンにより置き換えられ；
ここで、−Ｑ１−は、上記意味及び好ましいものを有し、
Ｒ２及びＲ３は、互いに独立して、水素、フッ素、塩素、ニトリル、非置換であるか又はフッ素で置換されたＣ１−Ｃ１２を表し、ここで、１以上のＣ−原子、ＣＨ−基、又はＣＨ２−基は、連結基により置き換えられてもよく；好ましくは、ニトリル又はＦであり；好ましくは、Ｒ２及びＲ３は、互いに独立して、水素又はニトリル、好ましくは水素を表し；
Ｘは、フェニレン等の二価の芳香族基、特に１，４−フェニレンであるか；あるいは、Ｘは、−ＣＨ２−、−ＣＯ−、−ＣＳ−、−Ｏ（ＣＯ）−、−（ＣＯ）Ｏ−、−ＮＨ（ＣＯ）−、−（ＣＯ）ＮＨ−、−ＯＣＦ２−、−ＳＣＦ２−、−ＮＨ−ＣＦ２−、（（Ｃ１−Ｃ６アルキル）−Ｎ）ＣＯ−であり、好ましくは（（ＣＨ３）Ｎ）ＣＯ−、又は−Ｓ（ＣＳ）−、−Ｏ（ＣＳ）、−Ｓ（ＣＯ）、好ましくは−Ｏ（ＣＯ）−である。
【手続補正３】
【補正対象書類名】明細書
【補正対象項目名】００２４
【補正方法】変更
【補正の内容】
【００２４】
更に、本発明は、上記の及び上記好ましいものの範囲内の式（Ｉ）で表される基、好ましくは式（II）で表される基と；重合性基とを含むモノマーに関する。
【手続補正４】
【補正対象書類名】明細書
【補正対象項目名】００２６
【補正方法】変更
【補正の内容】
【００２６】
本発明で使用されるモノマーは、特に限定されず、例えば式（IV）で表される基を表す：
【化５】
2013530260.tif 000002
（式中、
Ｑは、−ＯＣＦ２−、−ＣＦ２−Ｏ−、−ＣＦ２Ｓ−、−ＳＣＦ２−、−ＣＦ２ＮＨ−又は−ＮＨ−ＣＦ２−、好ましくは−ＯＣＦ２−又は−ＣＦ２−Ｏ−、より好ましくは−ＯＣＦ２−を表し、
Ｂは、非置換又は置換のベンゼン又はフェニレン、ピリジン、トリアジン、ピリミジン、ビフェニレン、ナフタレン、フェナントレン、トリフェニレン、テトラリンを表し、好ましくはフェニレンを表すか、又はシクロプロパン、シクロブタン、シクロペンタン、シクロペンテン、シクロヘキサン、シクロヘキセン、シクロヘキサジエン、デカリン、テトラヒドロフラン、ジオキサン、ピロリジン、ピペリジン、及びステロイド骨格から選択される脂環式基を表し、好ましくはシクロヘキサン又はステロイド骨格を表し；より好ましくは、Ｂはフェニレン又はシクロヘキサン基であり、
Ｒ２及びＲ３は、水素及び／又はニトリルであり、
Ｘは、フェニレン等の二価の芳香族基、特に１，４−フェニレンであるか；あるいは、Ｘは、−ＣＨ２−、−ＣＯ−、−ＣＳ−、−Ｏ（ＣＯ）−、−（ＣＯ）Ｏ−、−ＮＨ（ＣＯ）−、−（ＣＯ）ＮＨ−、−ＯＣＦ２−、（（Ｃ１−Ｃ６アルキル）−Ｎ）ＣＯ−、好ましくは（（ＣＨ３）Ｎ）ＣＯ−、又は−Ｓ（ＣＳ）−、−Ｏ（ＣＳ）、−Ｓ（ＣＯ）、好ましくは−Ｏ（ＣＯ）−であり；
Ｕは、水素、−ＣＦ３、−ＣＦ２Ｈ、−ＣＨ２Ｆ、−Ｑ１−（Ｃ１−Ｃ６アルキレン）−ＣＦ３、−Ｑ１−（Ｃ１−Ｃ６アルキレン）−ＣＦ２Ｈ、−Ｑ１−（Ｃ１−Ｃ６アルキレン）−ＣＨ２Ｆ、−Ｑ１−（Ｃ１−Ｃ６アルキレン）−ＣＦ２ＣＦ３、−Ｑ１−（Ｃ１−Ｃ６アルキレン）−ＣＦ２ＣＨＦ２、−Ｑ１−（Ｃ１−Ｃ６アルキレン）−ＣＦ２ＣＨ２Ｆ、−Ｑ１−（Ｃ１−Ｃ６アルキレン）−ＣＦＨＣＦ３、−Ｑ１−（Ｃ１−Ｃ６アルキレン）−ＣＦＨＣＨＦ２、−Ｑ１−（Ｃ１−Ｃ６アルキレン）−ＣＦＨＣＨ２Ｆ、−Ｑ１−（Ｃ１−Ｃ６アルキレン）−ＣＦ２ＣＨ３、−Ｑ１−（Ｃ１−Ｃ６アルキレン）−ＣＦＨＣＨＦ２、−Ｑ１−（Ｃ１−Ｃ６アルキレン）−（ＣＦ２）２ＣＦ３、−Ｑ１−（Ｃ１−Ｃ６アルキレン）−（ＣＦ２）２ＣＨＦ２、−Ｑ１−（Ｃ１−Ｃ６アルキレン）−（ＣＦ２）２ＣＨ２Ｆ、−Ｑ１−（Ｃ１−Ｃ６アルキレン）−（ＣＦ２）２ＣＨ３、−Ｑ１−（Ｃ１−Ｃ６アルキレン）−（ＣＦ２）３ＣＨＦ２、−Ｑ１−（Ｃ１−Ｃ６アルキレン）−（ＣＦ２）３ＣＨ２Ｆ、−Ｑ１−（Ｃ１−Ｃ６アルキレン）−（ＣＦ２）３ＣＦ３、−Ｑ１−（Ｃ１−Ｃ６アルキレン）−ＣＦ（ＣＦ３）２、−Ｑ１−（Ｃ１−Ｃ６アルキレン）−ＣＦ２（ＣＨＦ）ＣＦ３であり；
ここで、１以上のＣ−原子、ＣＨ−基、又はＣＨ２−基は、互いに独立して、置き換えられないか又は上記の意味及び好ましいものの範囲内の連結基により置き換えられ；特に、Ｃ−原子、ＣＨ−基、又はＣＨ２−基は、−ＮＨ−、−ＮＣＨ３−、−ＮＨ−ＣＯ−、−ＣＯ−ＮＨ−、−ＮＨ−ＣＯ−Ｏ−、−Ｏ−ＣＯ−ＮＨ−、−ＮＨ−ＣＯＮＨ−、−ＮＣＨ３−、ＮＣＨ３−ＣＯ−、−ＣＯ−ＮＣＨ３−、−ＮＣＨ３−ＣＯ−Ｏ−、−Ｏ−ＣＯ−ＮＣＨ３−、−ＮＣＨ３−ＣＯＮＣＨ３−、−Ｏ−、−ＣＯ、−ＣＯ−Ｏ−、−Ｏ−ＣＯ−、−ＣＨ＝ＣＨ−、−Ｃ≡Ｃ−、−Ｏ−ＣＯ−Ｏ−、及び非置換又は置換のシクロヘキシレン、及び非置換又は置換のフェニレンにより置き換えられ；
Ｑ１は、単結合又は−ＮＨ−、−Ｎ（ＣＨ３）−、−ＮＨ−ＣＯ−、−ＣＯ−ＮＨ−、−ＮＨ−ＣＯ−Ｏ−、−Ｏ−ＣＯ−ＮＨ−、−ＮＨ−ＣＯＮＨ−、−ＣＯＮ（ＣＨ３）−、−（ＣＨ３）ＮＣＯ−、−Ｏ−、−ＣＯ−、−ＣＯＯ−、−ＯＣＯ−、−ＯＣＦ２−、−ＣＦ２−Ｏ−、−ＣＦ２Ｓ−、−ＳＣＦ２−、−ＣＦ２ＮＨ−、−ＮＨＣＦ２−、−Ｓ−、−ＣＳ−、−ＳＣＳ−、−ＳＣＯ−、−ＣＨ＝ＣＨ−、−Ｃ≡Ｃ−、又は−Ｏ−ＣＯ−Ｏ−を表し；
好ましくは、Ｑ１は、−Ｏ−、−ＣＯ−、−ＣＯＯ−、−ＯＣＯ−、又は単結合であり、より好ましくは、−Ｏ−又は単結合であり；
Ｄは、非置換又は置換の脂肪族、芳香族、又は脂環式の重合性基、好ましくは、１〜４０個の炭素原子を有するジアミン基を表し、
ｙ及びｚは、各々互いに独立して、１、２、３又は４、好ましくは１又は２であり；
ｗは、１、２、３、４、そして、好ましくは１又は２であり、
Ｓ１及びＳ２は、各々互いに独立して、単結合又はスペーサーユニットを表し、これは、環式、直鎖、又は分枝状の、置換又は非置換のＣ１−Ｃ２４アルキレンであって、１以上の、好ましくは隣接していないＣ−原子、ＣＨ−基、又はＣＨ２−基が、連結基、及び／又は式（Ｖ）で表される非芳香族基、芳香族基、非置換又は置換の炭素環式基もしくは複素環式基により置き換えられてもよいアルキレンであり：
【化６】
2013530260.tif 000003
（式中、
Ｃ１、Ｃ２は、各々独立して、脂環式基又は芳香族基、場合により置換されてもよい炭素環式基又は複素環式基を表し、好ましくは、架橋基Ｚ１及びＺ２及び／又はＺ１ａを介して互いに接続され、好ましくは、Ｃ１及びＣ２は、架橋基Ｚ１及びＺ２及び／又はＺ１ａを介して反対の位置で接続され、基Ｓ１及び／又はＳ２は長い分子軸を有するようになり、そして、
Ｚ１、Ｚ２、Ｚ１ａは、各々独立して、上記の意味及び好ましいものの範囲内の架橋基を表し、そして、
ａ１、ａ２、ａ３は、各々独立して、ａ１＋ａ２＋ａ３≦６、好ましくはａ３が０であり且つａ１＋ａ２≦４であるような０〜３の整数を表す）
好ましくは、Ｓ１及びＳ２は、各々互いに独立して、単結合又はスペーサーユニットを表し、これは、直鎖又は分枝状の、置換又は非置換のＣ１−Ｃ２４アルキレン、好ましくはＣ１−Ｃ１２アルキレン、より好ましくはＣ１−Ｃ６アルキレンであって、１以上の、好ましくは隣接していないＣ−原子、ＣＨ−基、又はＣＨ２−基が、連結基により置き換えられてもよく、好ましくは、単結合、−Ｏ−、−Ｏ（ＣＯ）、−Ｓ−、−（ＣＯ）Ｏ−、又は
【化７】
2013530260.tif 000004
−ＮＲ２−により置換されたアルキレンであり、そして、前記置換基は、好ましくは、少なくとも１つのＣ１−Ｃ６アルキル、好ましくはメチルであり；
より好ましくは
Ｓ１は、直鎖又は分枝状のＣ１−Ｃ６アルキレン、−Ｏ−、−ＣＨ２−、−Ｓ−であり、好ましくは−Ｏ−であり、
Ｓ２は、単結合又はスペーサーユニットを表し、これは、直鎖又は分枝状の、置換又は非置換のＣ１−Ｃ２４アルキレンであって、１以上の、好ましくは隣接していないＣ−原子、ＣＨ−基、又はＣＨ２−基が、連結基により置き換えられてもよく、そして、好ましくは、単結合、−Ｏ−、−Ｏ（ＣＯ）、−Ｓ−、−（ＣＯ）Ｏ−、又は
【化８】
2013530260.tif 000005
−ＮＲ２−により置換されたアルキレンであり、そして、前記置換基は、好ましくは、少なくとも１つのＣ１−Ｃ６アルキル、好ましくはメチルである）。
【手続補正５】
【補正対象書類名】明細書
【補正対象項目名】００２９
【補正方法】変更
【補正の内容】
【００２９】
本発明のジアミンＤは、特により好ましくは、置換又は非置換のｏ−フェニレンジアミン、ｐ−フェニレン−ジアミン、ｍ−フェニレンジアミン、ビフェニルジアミン、アミノフェニレン−Ｚ４−フェニレンアミノ（式中、Ｚ４は、上記と同じ意味及び好ましいものを有する）、特に、４−（４−アミノベンジル）フェニルアミン、４−［２−（４−アミノフェニル）エチル］フェニル−アミン；ナフチレンジアミン、ベンジジン、ジアミノフルオレン、３，４−ジアミノ安息香酸、３，４−ジアミノベンジルアルコールジヒドロクロリド、２，４−ジアミノ安息香酸、Ｌ−（＋）−トレオ−２−アミノ−１−（４−アミノフェニル）−１，３−プロパンジオール、ｐ−アミノ安息香酸、［３，５−３ｈ］−４−アミノ−２−メトキシ安息香酸、Ｌ−（＋）−トレオ−２−（Ｎ，Ｎ−ジメチルアミノ）−１−（４−アミノフェニル）−１，３−プロパンジオール、２，７−ジアミノフルオレン、４，４’−ジアミノオクタフルオロビフェニル、３，３’−ジアミノベンジジン、２，７−ジアミノ−９−フルオレノン、３，５，３’，５’−テトラブロモ−ビフェニル−４，４’−ジアミン、２，２’−ジクロロ［１，１’−ビフェニル］−４，４’−ジアミン、３，９−ジアミノ−１，１１−ジメチル−５，７−ジヒドロ−ジベンゾ（ａ，ｃ）シクロヘプタン−６−オン、ジベンゾ（１，２）ジチイン−３，８−ジアミン、３，３’−ジアミノベンゾフェノン、３，３’−ジアミノジフェニルメタン、４，４−ビス−（３−アミノ−４−ヒドロキシフェニル）−吉草酸、２，２−ビス（３−アミノ−４−ヒドロキシフェニル）−ヘキサフルオロプロパン、２，２−ビス（３−アミノ−４−メチルフェニル）−ヘキサフルオロプロパン、テトラブロモメチレンジアニリン、２，７−ジアミノ−９−フルオレノン、２，２−ビス（３−アミノフェニル）ヘキサフルオロプロパン、ビス−（３−アミノ−４−クロロ−フェニル）−メタノン、ビス−（３−アミノ−４−ジメチル−アミノ−フェニル）−メタノン、３−［３−アミノ−５−（トリフルオロメチル）ベンジル］−５−（トリフルオロメチル）アニリン、１，５−ジアミノ−ナフタレン、ベンジジン−３，３’−ジカルボン酸、４，４’−ジアミノ−１，１’−ビナフチル、４，４’−ジアミノジフェニル−３，３’−ジグリコール酸、ジヒドロエチジウム、ｏ−ジアニシジン、２，２’−ジクロロ−５，５’−ジメトキシベンジジン、３−メトキシベンジジン、３，３’−ジクロルベンジジン（ジフェニル−ｄ６）、２，２’−ビス（トリフルオロメチル）ベンジジン、３，３’−ビス（トリフルオロメチル）ベンジジン、３，３’−ジクロロ−ベンジジン−ｄ６、テトラメチルベンジジン、ジ−（アミノフェニル）アルキレンで表される構造Ｄ１で表されるラジカルから、及び、
以下に列挙するアミノ化合物であって、２つのアミノ基を有さず、そして、少なくとも１つの更なるアミノ基を含む誘導体として得られるアミノ化合物：
アニリン、４−アミノ−２，３，５，６−テトラフルオロ安息香酸、４−アミノ−３，５−ジヨード安息香酸、４−アミノ−３−メチル安息香酸、４−アミノ−２−クロロ安息香酸、４−アミノサリチル酸、４−アミノ安息香酸、４−アミノフタル酸、１−（４−アミノフェニル）エタノール、４−アミノベンジルアルコール、４−アミノ−３−メトキシ安息香酸、４−アミノフェニルエチルカルビノール、４−アミノ−３−ニトロ安息香酸、４−アミノ−３，５−ジニトロ安息香酸、４−アミノ−３，５−ジクロロ安息香酸、４−アミノ−３−ヒドロキシ安息香酸、４−アミノベンジルアルコールヒドロクロリド、４−アミノ安息香酸ヒドロクロリド、パラローザニリン塩基、４−アミノ−５−クロロ−２−メトキシ安息香酸、４−（ヘキサフルオロ−２−ヒドロキシイソプロピル）アニリン、ピペラジン−ｐ−アミノベンゾエート、４−アミノ−３，５−ジブロモ安息香酸、イソニコチン酸ヒドラジドｐ−アミノサリチル酸塩、４−アミノ−３，５−ジヨードサリチル酸、４−アミノ−２−メトキシ安息香酸、２−［２−（４−アミノフェニル）−２−ヒドロキシ−１−（ヒドロキシメチル）エチル］イソインドリン−１，３−ジオン、４−アミノ−２−ニトロ安息香酸、エチル２−（４−アミノフェニル）−３，３，３−トリフルオロ−２−ヒドロキシプロパノエート、エチル２−（４−アミノ−３−メチルフェニル）−３，３，３−トリフルオロ−２−ヒドロキシプロパノエート、エチル２−（４−アミノ−３−メトキシフェニル）−３，３，３−トリフルオロ−２−ヒドロキシプロパノエート、４−アミノ−ナフタレン−１，８−ジカルボン酸、４−アミノ−３−クロロ−５−メチル安息香酸、４−アミノ−２，６−ジメチル安息香酸、４−アミノ−３−フルオロ安息香酸、４−アミノ−５−ブロモ−２−メトキシベンゼンカルボン酸、３，３’−トリジン−５−スルホン酸、
あるいはこれらの誘導体から選択されるが、但しこの場合も２つのアミノ基を有しない列挙された化合物は、少なくとも１つの更なるアミノ基を含む誘導体として得られる。
【手続補正６】
【補正対象書類名】明細書
【補正対象項目名】００３４
【補正方法】変更
【補正の内容】
【００３４】
用語「アルキレン」は、上記意味及び好ましいものの範囲内の分枝状、直鎖、置換、非置換、非中断、又は上に定義する連結基、及びシクロへキシレン又はＣ１７−Ｃ４０脂環式基等の脂環式基；あるいは−Ｓｉ（Ｒ３）２−又は−Ｏ−Ｓｉ（Ｒ３）２−（式中、Ｒ３は、上記意味を有する）により中断された（Ｃ１−Ｃ１２）アルキレンの意味を有する。
【手続補正７】
【補正対象書類名】明細書
【補正対象項目名】００３５
【補正方法】変更
【補正の内容】
【００３５】
更に、本発明において好ましいのは、ジアミンＤ（XV）（式中、Ｘ１２は、置換又は非置換の脂肪族基、脂環式基、好ましくは
【化２２】
2013530260.tif 000006
（式中、Ｒ３は、上記と同じ意味及び好ましいものを有し、そして、ａ及びｃは、互いに独立して、１、２、又は３であり、そして、ｃは、１〜２０の整数である）；例えば、
【化２３】
2013530260.tif 000007
（式中、Ｘ１３は、メチレン、エチレン、プロピレン、又はブチレンであり、そして、Ｒ３は、同じ意味を有し、そして、好ましくはメチル、エチル、又はプロピルである）である。
【手続補正８】
【補正対象書類名】明細書
【補正対象項目名】００３９
【補正方法】変更
【補正の内容】
【００３９】
（Ｘ−１）の更に好ましい構造は、以下の通りである：
【化２７】
2013530260.tif 000008
（式中、Ｒ１１は、上記意味及び好ましいものを有し、
Ｘ１５及びＸ１６は、互いに独立して、単結合又はＣ１−Ｃ３０アルキル、好ましくはＣ１−Ｃ６アルキル、−ＣＯＯ−及び−ＣＯＮＨ−；−ＣＯＯ（Ｃ１−Ｃ６アルキレン）−、−ＣＯＮＨ（Ｃ１−Ｃ６アルキレン）−である）。
【手続補正９】
【補正対象書類名】明細書
【補正対象項目名】００４１
【補正方法】変更
【補正の内容】
【００４１】
好ましくは、ジアミンＤ（XI）は、式（XI−１）：
【化２８】
2013530260.tif 000009
（式中、Ｘ６は、上記意味及び好ましいものを有し、そして、好ましくは、例えば、−Ｏ−、−Ｓ−、又は置換もしくは非置換のＣ１−Ｃ６アルキレン、−Ｏ−（ＣＨ２ＣＨ２Ｏ）ｎ−；−Ｏ−（Ｃ１−Ｃ１２アルキル）ｎ−Ｏ−、−Ｓ−（Ｃ１−Ｃ１２アルキル）ｎ−Ｓ−、トリアジン、１，３，５−トリアジン−２，４，６−トリオン、１，１’−シクロヘキシレン、ＮＲ５（（Ｃ１−Ｃ６アルキル）ｎＮＲ６）、−（ピペリジン）ｎ１−（Ｃ１−Ｃ６アルキル）ｎ−（ピペリジン）ｎであり、
式中、ｎは、１〜６の整数であり、そして、ｎ１は、０〜６の整数であり、
式中、Ｒ１１、Ｒ１２、Ｒ１３及びＲ１４は、互いに独立して、上記意味及び好ましいものを有する）で表されるジアミンである。
【手続補正１０】
【補正対象書類名】明細書
【補正対象項目名】００４２
【補正方法】変更
【補正の内容】
【００４２】
更に、好ましいジアミンＤ（XI−１）は：
【化２９】
2013530260.tif 000010
（式中、Ｒ１１及びＲ１２は、互いに独立して、上記と同じ意味を有し、そして、好ましくは、水素、Ｃ１−Ｃ６アルキル、ヒドロキシ、又は４−（Ｃ１−Ｃ３０アルキル）−シクロヘキシル、又は３，４’’−ビス［４’−（Ｃ１−Ｃ３０アルキル−１，１’−ビ（シクロヘキシル）−４−イル］である）。より好ましいのは、下記ジアミンＤ（XI）：
【化３０】
2013530260.tif 000011
（式中、ｎは、互いに独立して、０又は１であり、そして、Ｒ３、Ｒ１１、Ｒ１１、Ｘ１４及びＸ１７は、上記と同じ意味及び好ましいものを有する）であり、そして、
更により好ましいのは、ジアミン化合物（XI）
４，４’−ジアミノジフェニル、４，４’−ジアミノジフェニル−３，３’−ジメトキシ、４，４’−ジアミノジフェニル−３，３’−ジメチル、４，４’−ジアミノジフェニル−３，３’−ジヒドロキシ、４，４’−ジアミノ−ジフェニルメタン、４，４’−ジアミノジフェニルスルフィド、４，４’−ジアミノ−ジフェニルスルホン、４，４’−ジアミノジフェニルカルボニル、４，４’−ジアミノジフェニルオキソメチレン、４，４’−ジアミノジフェニル−ビス（トリフルオロメチル）−メチレン、４，４’−ジアミノジフェニル−ビス（トリフルオロメチル）メチレン−３，３’ジメトキシ、又は４，４’−ジアミノジフェニル−ビス（トリフルオロメチル）メチレン−３，３’ジヒドロキシ、４，４’−ジアミノジフェニルエーテル、４，４’−（ｐ−フェニレンイソ−プロピリデン）ビスアニリン、２，２−ビス［４−（４−アミノフェノキシ）フェニル］−ヘキサフルオロ−プロパン、２，２’−ビス［４−４−アミノ−２−トリフルオロ−メチル−フェノキシ−）フェニル）ヘキサフルオロプロパン、４，４’−ジアミノ−２，２’−ビス／トリフルオロメチル）−ビフェニル、４，４’−ビス［４−アミノ−２−トリフルオロメチル）フェノキシ］−オクタフルオロビフェニルである。
【手続補正１１】
【補正対象書類名】明細書
【補正対象項目名】００４６
【補正方法】変更
【補正の内容】
【００４６】
更に好ましい式（XIII）で表されるジアミンは、
【化３２】
2013530260.tif 000012
（式中、ｎは、０又は１であり、そして、式中、Ｘ７及びＸ８、Ｘ９及びＸ１０又はＸ１１は、上記の意味及び好ましいものを有する）
である。
【手続補正１２】
【補正対象書類名】明細書
【補正対象項目名】００５０
【補正方法】変更
【補正の内容】
【００５０】
特に最も好ましいのは、式（XVI）：
【化３４】
2013530260.tif 000013
（式中、
Ｑは、−ＯＣＦ２−、−ＣＦ２−Ｏ−、−ＣＦ２Ｓ−、−ＳＣＦ２−、−ＣＦ２ＮＨ−又は−ＮＨ−ＣＦ２−、好ましくは−ＯＣＦ２−又は−ＣＦ２−Ｏ−、より好ましくは−ＯＣＦ２−を表し、
Ｄは、非置換又は置換の芳香族重合性基、好ましくはジアミン基、より好ましくは
【化３５】
2013530260.tif 000014
最も好ましくは
【化３６】
2013530260.tif 000015
を表し、
ｗは、１、２、３であり、そして、
ｙ及びｚは、各々互いに独立して、１又は２であり；
Ｓ１及びＳ２は、互いに独立して、単結合又はスペーサーユニットを表し、これは、直鎖又は分枝状の、置換又は非置換のＣ１−Ｃ１２アルキレンであって、１以上の、好ましくは隣接していないＣ−原子、ＣＨ−基、又はＣＨ２−基が、連結基により置き換えられてもよく、好ましくは、単結合又は少なくとも１つの−Ｏ−、−Ｏ（ＣＯ）、−Ｓ−、−（ＣＯ）Ｏ−、又は
【化３７】
2013530260.tif 000016
、−ＮＲ２−により置き換えられたアルキレンであり、そして、前記置換基は、好ましくは、少なくとも１つのＣ１−Ｃ６アルキル、より好ましくはメチルであり、そして、
好ましくは、Ｓ１は、置換又は非置換の、直鎖又は分枝状のＣ１−Ｃ６アルキレンであって、１以上の、好ましくは隣接していないＣ−原子、ＣＨ−基、又はＣＨ２−基が、単結合又は少なくとも１つの−Ｏ−、−Ｏ（ＣＯ）、−Ｓ−、−（ＣＯ）Ｏ−、もしくは
【化３８】
2013530260.tif 000017
−ＮＲ２−により置き換えられてもよいアルキレンであり；
Ｒ１は、ハロゲン、Ｃ１−Ｃ１６アルコキシ、Ｃ１−Ｃ１６アルキル、ニトロ又はニトリル、好ましくはメトキシ、塩素、フッ素、又はニトリル、そして、より好ましくはフッ素を表し、
Ｒ１’及びＲ１’’は、互いに独立して、水素、フッ素、Ｃ１−Ｃ６アルコキシ、ニトリル及び／又は塩素；好ましくは、水素、メトキシ、フッ素又は塩素、そして、より好ましくは水素又はフッ素の意味を有し；そして、
Ｚ及びＵは、上記の意味及び好ましいものを有する）で表されるモノマーである。
【手続補正１３】
【補正対象書類名】明細書
【補正対象項目名】００５１
【補正方法】変更
【補正の内容】
【００５１】
より特に最も好ましいのは、式（XVII）：
【化３９】
2013530260.tif 000018
（式中、
Ｑは、−ＯＣＦ２−、−ＣＦ２−Ｏ−、−ＣＦ２Ｓ−、−ＳＣＦ２−、−ＣＦ２ＮＨ−又は−ＮＨ−ＣＦ２−、好ましくは−ＯＣＦ２−又は−ＣＦ２−Ｏ−、より好ましくは−ＯＣＦ２−を表し、そして、
ｙ、ｚ、Ｓ１、Ｓ２及びＵは、上記の意味及び好ましいものを有する）；
又は
【化４０】
2013530260.tif 000019
（式中、Ｑ、Ｕ、Ｓ１、Ｓ２、ｙ及びｚは、上記意味及び好ましいものを有し、そして、式中、Ｘ６は、好ましくは、単結合、又は直鎖もしくは分枝状の、置換もしくは非置換のＣ１−Ｃ６アルキレン、好ましくはプロピレン、ブチレンであり、ここで、プロピレンは、２，２−位において２回連結され、そして、ブチレンは、２−位及び３−位で連結される）；
又は
【化４１】
2013530260.tif 000020
（式中、Ｑ、Ｕ、Ｓ１、Ｓ２、ｙ及びｚは、上記意味及び好ましいものを有し、そして、式中、アミノ基は、好ましくはビフェニル結合のパラ位に存在する）
で表されるモノマーである。
【手続補正１４】
【補正対象書類名】明細書
【補正対象項目名】００５２
【補正方法】変更
【補正の内容】
【００５２】
更に、最も好ましいのは、式（XX）又は（XXI）で表される基を含むモノマーである：
【化４２】
2013530260.tif 000021
（式中、
Ｕ及びＸは、上記意味及び好ましいものを有し、
Ｒ１、Ｒ１’は、互いに独立して、水素、ハロゲン、Ｃ１−Ｃ１６アルコキシ、Ｃ１−Ｃ１６アルキル、ニトロ、又はニトリル、好ましくは水素、メトキシ、フッ素、塩素又はニトリル、そして、より好ましくは、水素又はフッ素である）。
【手続補正１５】
【補正対象書類名】明細書
【補正対象項目名】００５３
【補正方法】変更
【補正の内容】
【００５３】
また、本発明は、ポリマー、ホモ−もしくはコポリマー、又はオリゴマーを調製する方法であって、上記の通り、そして、上記好ましいものを用いて、本発明のモノマーを重合させることを含む方法に関する。
【手続補正１６】
【補正対象書類名】明細書
【補正対象項目名】００７０
【補正方法】変更
【補正の内容】
【００７０】
本発明の更なる実施形態は、上記及び上記好ましいものの範囲内のポリマー、ホモ−もしくはコポリマー、又はオリゴマー、あるいは、上記及び上記好ましいものの範囲内のモノマーを含む組成物に関する。
【手続補正１７】
【補正対象書類名】明細書
【補正対象項目名】００７１
【補正方法】変更
【補正の内容】
【００７１】
好ましいのは、式（XVI）、（XVII）、（XVIII）、（XIX）のうちの少なくとも１つで表されるモノマー、又は好ましくは式（Ｉ）、（II）、（XX）、もしくは（XXI）で表される基を有するモノマー、そして、より好ましくは、上記及び上記全ての選択肢の少なくとも２つのジアミンモノマー、又は好ましくは、少なくとも１つのジアミンモノマーが式（Ｉ）の側鎖に連結され、そして、他のジアミンがＤ２（これは、式（Ｉ）の側鎖に連結されるラジカル基ではないが、この潜在的な連結位置が水素で飽和していることを除いて、本発明に記載のＤ又はＤ１と同じ意味及び好ましいものを有する）である少なくとも２つのジアミンを含む組成物である。
【手続補正１８】
【補正対象書類名】明細書
【補正対象項目名】００７２
【補正方法】変更
【補正の内容】
【００７２】
最も好ましいのは、以下を含む本発明のモノマーを含む組成物である：
ａ）少なくとも２つの異なるテトラカルボン二無水物、特に１，２，３，４−シクロブタン−テトラカルボン酸二無水物、及び２，３，５−トリカルボキシシクロ−ペンチル酢酸二無水物、
あるいは／ならびに
ｂ）式（IV）、（XVI）（式中、Ｄはジアミノ基である）、もしくは（XVII）、（XVIII）、（XIX）のうちの２つの異なるモノマー、又は重合性ジアミノ基を含む式（Ｉ）、（II）、（XX）、もしくは（XXI）で表される基を有するモノマー；ならびに
ｃ）場合により、更なるジアミンＤ２（これは、式（Ｉ）の側鎖に連結されるラジカル基ではないが、この潜在的な連結位置が水素で飽和していることを除いて、本発明に記載のＤ又はＤ１と同じ意味及び好ましいものを有する）。好ましい更なるジアミンは、例えば、コレステロール等のステロイド骨格を含むジアミン、又は上記の意味及び好ましいものの範囲内の脂環式基、又はアミノフェニレン−Ｚ４−フェニレンアミノ（式中、Ｚ４は、上記と同じ意味及び好ましいものを有する）、特に、４−（４−アミノベンジル）−フェニルアミン、又は４−［２−（４−アミノフェニル）エチル］フェニル−アミンである。；ならびに
ｄ）場合により有機溶媒、ならびに
ｅ）場合によりエポキシ−、アクリレート−、メタクリレート−、ビニル−化合物、ならびに
ｆ）場合により添加剤。
【手続補正１９】
【補正対象書類名】明細書
【補正対象項目名】００７４
【補正方法】変更
【補正の内容】
【００７４】
好ましいコポリマーは、式（Ｉ）で表される基を含む２つの異なる側鎖を有するか、又は一方の側鎖が式（Ｉ）で表される基を含み、そして、他方の側鎖がコレステロール等のステロイド骨格又は上記意味及び好ましいものの範囲内の架橋基により中断され得る１、２、３、４もしくは５つの脂環式基を含む、重合したジアミノモノマーを含み；そして、好ましいのは、シクロヘキサン又はステロイド骨格である。